(57)【要約】【課題】自由度の高い空調システム及び空調システムの制御方法を提供することを目的とする。【解決手段】複数の室内機２０と、各室内機２０のそれぞれに対して接続された室外機１０と、各室内機２０を制御する室内機制御装置２２と、室外機１０および各室内機２０を制御する室外機制御装置１２と、を備え、室外機制御装置１２に対する運転許可指令または運転禁止指令の入力によって全ての室内機２０の運転または停止を行う空調システム１において、運転禁止指令が入力される直前の各室内機２０の運転停止情報を記憶する記憶部を備え、室外機制御装置１２は、運転許可指令が入力されると、記憶部に記憶された運転停止情報に基づき全ての室内機２０を運転再開させることを特徴とする空調システム１。【選択図】図１
2015114021.tif 000002
【特許請求の範囲】
【請求項１】
複数の室内機と、
各前記室内機のそれぞれに対して接続された室外機と、
各前記室内機を制御する室内機制御装置と、
前記室外機および各前記室内機を制御する室外機制御装置と、を備え、
前記室外機制御装置に対する運転許可指令または運転禁止指令の入力によって全ての前記室内機の運転または停止を行う空調システムにおいて、
前記運転禁止指令が入力される直前の各前記室内機の運転停止情報を記憶する記憶部を備え、
前記室外機制御装置は、前記運転許可指令が入力されると、前記記憶部に記憶された前記運転停止情報に基づき全ての前記室内機を運転再開させることを特徴とする空調システム。
【請求項２】
前記記憶部は、前記室外機制御装置に備えられることを特徴とする請求項１に記載の空調システム。
【請求項３】
前記記憶部は、前記室内機制御装置に備えられることを特徴とする請求項１に記載の空調システム。
【請求項４】
前記室内機は、リモコンに備えられたリモコン制御装置によって制御され、
前記記憶部は、リモコン制御装置に備えられることを特徴とする請求項１に記載の空調システム。
【請求項５】
前記記憶部は、さらに各前記室内機制御装置に備えられ、各前記室内機制御装置に備えられた各前記記憶部は、各前記室内機の設定温度や風量などの運転設定情報を記憶することを特徴とする請求項１または２に記載の空調システム。
【請求項６】
前記記憶部は、さらに各前記リモコン制御装置に備えられ、各前記リモコン制御装置に備えられた各前記記憶部は、各前記室内機の設定温度や風量などの運転設定情報を記憶することを特徴とする請求項１から３のいずれかに記載の空調システム。
【請求項７】
前記記憶部は、各前記室内機の設定温度や風量などの運転設定情報を記憶することを特徴とする請求項１から４のいずれかに記載の空調システム。
【請求項８】
前記記憶部は、前記室内機の停止中に前記運転設定情報を上書き可能とすることを特徴とする請求項５から７のいずれかに記載の空調システム。
【請求項９】
複数の前記室内機は、一または複数の前記室内機を含む第一室内機グループと、
該第一室内機グループとは別の一または複数の前記室内機を含む第二室内機グループと、を備え、
前記記憶部は、運転禁止指令が入力される直前の前記第一室内機グループの各前記室内機の前記運転停止情報を記憶し、前記第二室内機グループの各前記室内機の前記運転停止情報を記憶せず、
前記運転許可指令が入力されると、記憶した前記第一室内機グループの前記運転停止情報に基づき前記第一室内機グループの各前記室内機を運転再開させ、前記第二室内機グループの各前記室内機は停止したままとすることを特徴とする請求項１から８のいずれかに記載の空調システム。
【請求項１０】
複数の室内機と、
各前記室内機のそれぞれに対して接続された室外機と、
各前記室内機を制御する室内機制御装置と、
前記室外機および各前記室内機を制御する室外機制御装置と、を備え、
前記室外機制御装置に対する運転許可指令または運転禁止指令の入力によって全ての前記室内機の運転または停止を行うステップを有する空調システムの制御方法において、
前記運転禁止指令が入力される直前の各前記室内機の運転停止情報を記憶する記憶部を備え、
前記室外機制御装置は、前記運転許可指令が入力されると、前記記憶部に記憶された前記運転停止情報に基づき全ての前記室内機を運転再開させるステップを有する空調システムの制御方法。
【発明の詳細な説明】
【技術分野】
【０００１】
本発明は、空調システム及び空調システムの制御方法に関し、より具体的には室外機にて運転および停止を一括管理する空調システム及び空調システムの制御方法に関するものである。
【背景技術】
【０００２】
１台の室外機に対して複数台の室内機が接続されるマルチ型空調システムが知られている。従来、このようなマルチ型空調システムにおける制御とは、室内機や室外機の運転情報および停止情報を監視するのみであったが、例えば停電のように、外部からの強制停止および強制運転の指示があった場合の空調システムの挙動についての検討が行われている。例えば、特許文献１には、停電発生時などの復電時に記憶装置に記憶された運転内容に基づいて自動的に運転を再開することが開示されている。
【先行技術文献】
【特許文献】
【０００３】
【特許文献１】特開２００１−２４１７４０号公報
【発明の概要】
【発明が解決しようとする課題】
【０００４】
しかしながら、上記特許文献１に開示された発明では、停電発生などの電源が遮断された場合に限った空調システムの制御であるため、停電前の状態に戻すに過ぎず、自由度が低いと言う問題があった。また、電源遮断時以外の運転が停止された場合についての検討がなされていない。さらに、停電前の状態に戻すこと、例えば運転中であった室内機を停電後に運転再開するのは、故障や火災などの発生も考えられることから必ずしも全ての場合において正しい動きであるとは言えない。
空調システムの管理者およびユーザーのニーズは多様化しており、画一化された制御ではそれらのニーズに対応できないことから、より自由度の高いシステムが望まれている。
【０００５】
本発明は、このような事情に鑑みてなされたものであって、自由度の高い空調システム及び空調システムの制御方法を提供することを目的とする。
【課題を解決するための手段】
【０００６】
上記課題を解決するために、本発明の空調システム及び空調システムの制御方法は以下の手段を採用する。
複数の室内機と、各前記室内機のそれぞれに対して接続された室外機と、各前記室内機を制御する室内機制御装置と、前記室外機および各前記室内機を制御する室外機制御装置と、を備え、前記室外機制御装置に対する運転許可指令または運転禁止指令の入力によって全ての前記室内機の運転または停止を行う空調システムにおいて、前記運転禁止指令が入力される直前の各前記室内機の運転停止情報を記憶する記憶部を備え、前記室外機制御装置は、前記運転許可指令が入力されると、前記記憶部に記憶された前記運転停止情報に基づき全ての前記室内機を運転再開させることを特徴とする空調システムを採用する。
【０００７】
本発明によれば、室外機制御装置に対する運転許可指令又は運転禁止指令の入力によって全ての室内機の運転または停止を行い、記憶部が運転禁止指令が入力される直前の各室内機の運転停止情報を記憶し、運転許可指令が入力されると、室外機制御装置は記憶された運転停止情報にて全ての室内機の運転を再開させることとしたので、管理者の操作性が向上する。
また、室外機制御装置の制御にて全ての室内機の運転または停止を行えるため、室内機の運転および停止を一括管理することができ、室内機一台ごとに運転または停止の制御を行う必要がなくなる。ここで、室内機および室外機はともに常に電源が入った状態であるため管理が可能である。
また、運転禁止指令が入力される直前の室内機の運転停止情報を記憶部が記憶し、室外機制御装置は全ての室内機の運転再開時にこの運転停止情報にもとづき運転を再開することから、例えば停止前に運転中であった室内機は自動的に運転を再開するため、運転再開の度に室内機を起動させたい場合に該当する室内機を手動で起動させる必要が無く、管理者やユーザーの負担を減らすことができる。
【０００８】
上記発明において、前記記憶部は、前記室外機制御装置に備えられることとしてもよい。
【０００９】
本発明によれば、記憶部が室外機制御装置に備えられることで、１の室外機制御装置の記憶部で室外機に接続する全ての室内機の運転停止情報を記憶することから、運転停止情報を一元管理可能である。また、バックアップの取得が簡便である。
【００１０】
上記発明において、前記記憶部は、前記室内機制御装置に備えられることとしてもよい。
【００１１】
本発明によれば、記憶部が室内機制御装置に備えられることで、運転停止情報を各室内機制御装置の各記憶部が記憶することから、運転停止情報を分散管理することができ、故障に対するリスクも分散できる。
【００１２】
上記発明において、前記室内機は、リモコンに備えられたリモコン制御装置によって制御され、前記記憶部は、リモコン制御装置に備えられることとしてもよい。
【００１３】
本発明によれば、リモコン制御装置の記憶部が、運転禁止指令が入力される直前の各室内機の運転停止情報を記憶し、運転許可指令が入力されると、室外機制御装置は記憶された運転停止情報に基づいて各室内機の運転を再開させることとしたため、室外機制御装置の記憶部の記憶容量の増加が無く、室外機に対し室内機の台数が増えても室外機制御装置の構成を変更する必要が無い。
また、リモコン制御装置に運転停止情報が記憶されることから、ユーザーは運転停止情報を手元のリモコンにて確認することができる。
【００１４】
上記発明において、前記記憶部は、さらに各前記室内機制御装置に備えられ、各前記室内機制御装置に備えられた各前記記憶部は、各前記室内機の設定温度や風量などの運転設定情報を記憶することとしてもよい。
【００１５】
本発明によれば、室内機制御装置の記憶部が各室内機の設定温度や風量などの運転設定情報を記憶することから、室外機制御装置の記憶部の記憶容量の増加がなく、室外機に対し室内機の台数が増えても室外機制御装置の構成を変更する必要が無い。
また、運転設定情報を各室内機制御装置の各記憶部が記憶することから、運転設定情報を分散管理することができ、故障に対するリスクも分散できる。
【００１６】
上記発明において、前記記憶部は、さらに各前記リモコン制御装置に備えられ、各前記リモコン制御装置に備えられた各前記記憶部は、各前記室内機の設定温度や風量などの運転設定情報を記憶することとしてもよい。
【００１７】
本発明によれば、リモコン制御装置の記憶部が各室内機の運転設定情報を記憶することから、室外機制御装置または室内機制御装置の記憶部の記憶容量の増加が無い。
また、リモコン制御装置の記憶部に運転設定情報が記憶されることから、室外機制御装置の記憶部との運転設定情報のやりとりを行う必要が無く、ユーザーは運転設定情報を即時に手元のリモコンにて確認することができる。
【００１８】
上記発明において、前記記憶部は、各前記室内機の設定温度や風量などの運転設定情報を記憶することとしてもよい。
【００１９】
本発明によれば、記憶部は、各室内機の運転停止情報および運転設定情報を記憶することから、１の記憶部にて室内機毎の運転停止情報と運転設定情報との記憶が可能である。
特に、記憶部が室外機制御装置に備えられている場合は、室内機制御装置およびリモコン制御装置の記憶部の記憶容量の増加が無い。また、全ての情報を室外機制御装置の記憶部にて一括管理するため、記憶した情報に基づき制御を行う場合に、室外機と室内機の間で情報のやり取りをする必要が無く、情報のやり取りにおけるエラーを考慮する必要も無い。
【００２０】
上記発明において、前記記憶部は、前記室内機の停止中に前記運転設定情報を上書き可能とすることとしてもよい。
【００２１】
本発明によれば、記憶部は、室内機の停止中に運転設定情報を上書き可能とすることから、室内機が運転停止中であっても運転設定情報を変更することができる。そのため、停止中に運転設定情報を変更しておくことで、ユーザーが所望する温度や風量などで自動的に運転を再開させることができ、管理者やユーザーの操作自由度が向上する。
【００２２】
上記発明において、複数の前記室内機は、一または複数の前記室内機を含む第一室内機グループと、該第一室内機グループとは別の一または複数の前記室内機を含む第二室内機グループと、を備え、前記記憶部は、運転禁止指令が入力される直前の前記第一室内機グループの各前記室内機の前記運転停止情報を記憶し、前記第二室内機グループの各前記室内機の前記運転停止情報を記憶せず、前記運転許可指令が入力されると、記憶した前記第一室内機グループの前記運転停止情報に基づき前記第一室内機グループの各前記室内機を運転再開させ、前記第二室内機グループの各前記室内機は停止したままとすることとしてもよい。
【００２３】
本発明によれば、記憶部は、運転禁止指令が入力される直前の第一室内機グループの各室内機の運転停止情報を記憶し、第二室内機グループの各室内機の運転停止情報を記憶せず、運転許可指令が入力されると第一室内機グループの運転停止情報に基づき運転再開させ、第二室内機グループの各室内機は停止したままとすることから、運転停止情報の記憶を行うか否かをグループ毎に設定することができる。そのため、運転禁止指令入力直前の運転停止情報にかかわらず該当する室内機は運転再開時も停止させたままとすることができる。
例えば、会議室など室内機が停止の状態が多い場合において、運転禁止指令入力直前には運転していても、次に運転再開する場合は自動的に停止されたままの状態であることから、室内機の切り忘れを防止することができる。
【００２４】
本発明は複数の室内機と、各前記室内機のそれぞれに対して接続された室外機と、各前記室内機を制御する室内機制御装置と、前記室外機および各前記室内機を制御する室外機制御装置と、を備え、前記室外機制御装置に対する運転許可指令または運転禁止指令の入力によって全ての前記室内機の運転または停止を行うステップを有する空調システムの制御方法において、前記運転禁止指令が入力される直前の各前記室内機の運転停止情報を記憶する記憶部を備え、前記室外機制御装置は、前記運転許可指令が入力されると、前記記憶部に記憶された前記運転停止情報に基づき全ての前記室内機を運転再開させるステップを有する空調システムの制御方法を採用する。
【００２５】
本発明によれば、室外機制御装置に対する運転許可指令又は運転禁止指令の入力によって全ての室内機の運転または停止を行い、記憶部が運転禁止指令が入力される直前の各室内機の運転停止情報を記憶し、運転許可指令が入力されると、室外機制御装置は記憶された運転停止情報にて全ての室内機の運転を再開させることとしたので、管理者の操作性が向上する。
また、室外機制御装置の制御にて全ての室内機の運転または停止を行えるため、室内機の運転および停止を一括管理することができ、室内機一台ごとに運転または停止の制御を行う必要がなくなる。ここで、室内機および室外機はともに常に電源が入った状態であるため管理が可能である。
また、運転禁止指令が入力される直前の室内機の運転停止情報を記憶部が記憶し、室外機制御装置は全ての室内機の運転再開時にこの運転停止情報にもとづき運転を再開することから、例えば停止前に運転中であった室内機は自動的に運転を再開するため、運転再開の度に室内機を起動させたい場合に該当する室内機を手動で起動させる必要が無く、管理者やユーザーの負担を減らすことができる。
【発明の効果】
【００２６】
本発明によれば、運転再開時に運転停止前の情報に基づき自動的に運転を再開するので、管理者やユーザーの負担を軽減することができる。
【図面の簡単な説明】
【００２７】
【図１】本発明の第１、第２及び第４実施形態にかかる空調機を示した概略構成図である。
【図２】本発明の第１実施形態にかかる空調機の運転禁止指令が入力された場合の制御を示したフローチャートである。
【図３】本発明の第２実施形態にかかる空調機の運転禁止指令が入力された場合の制御を示したフローチャートである。
【図４】本発明の第２実施形態の変形例および第３実施形態にかかる空調機を示した概略構成図である。
【図５】本発明の第２実施形態の変形例にかかる空調機の運転禁止指令が入力された場合の制御を示したフローチャートである。
【図６】本発明の第３実施形態にかかる空調機の運転禁止指令が入力された場合の制御を示したフローチャートである。
【図７】本発明の第４実施形態にかかる空調機の運転禁止指令が入力された場合の制御を示したフローチャートである。
【発明を実施するための形態】
【００２８】
以下に、本発明にかかる空調システム及び空調システムの制御方法の一実施形態について、図面を参照して説明する。
〔第１実施形態〕
以下、本発明の第１実施形態について、図１を用いて説明する。
図１には、本実施形態にかかる空調システム及び空調システムの制御方法の概略構成が示されている。
図１に示されるように、空調機（空調システム）１は、１台の室外機１０と、複数（本実施形態では４台）の室内機２０とを主な構成として備えている。
室外機１０と各室内機２０とは、冷媒配管を通じて接続されている。
また、室外機１０の内部には室外機制御装置１２が備えられており、一方、室内機２０の内部には室内機制御装置２２が備えられており、室外機制御装置１２と室内機制御装置２２とは、通信線を通じて接続されている。また、室外機制御装置１２及び各室内機制御装置２２は、内部に種々の情報の記憶を行う記憶部（図示せず）を備えるものとする。
以下の説明において、各室内機２０及び各室内機制御装置２２を区別する場合は、末尾にＡ〜Ｄのいずれかを付し、各室内機２０及び各室内機制御装置２２を区別しない場合は、Ａ〜Ｄを省略する。
各室内機２０は、例えば設置場所や用途によって区分されており、本実施形態では室内機２０Ａ及び室内機２０Ｂが第一室内機グループ１００、室内機２０Ｃ及び室内機２０Ｄが第二室内機グループ２００に区分されているものとする。さらに、第一室内機グループ１００は、オフィスの事務室などの共用スペース、第二室内機グループ２００は、会議室などの個別スペースであるとする。
【００２９】
空調機１は、室外機１０の室外機制御装置１２に対する管理者からの運転許可指令または運転禁止指令の入力によって、空調機１のシステム全体が運転または停止を行う。
ここで、室外機１０及び各室内機２０は、常に電源が入った状態であり、運転許可指令または運転禁止指令が入力されることによって運転または停止する。
また、各室内機２０は各々独立した運転が可能であり、どのような運転を行うかについては、ユーザーによる運転指令が各室内機制御装置２２に入力されることによって制御される。ユーザーによる運転指令には、例えば室内機２０の運転および停止の指令、また温度、風量および運転種別（冷房、暖房など）の変更の指令などが挙げられる。
空調機１が運転中の状態にて、室外機制御装置１２に運転禁止指令が入力されると、運転していた室内機２０を含め、空調機１内の全ての機器が停止される。また、運転禁止指令が入力されているため、室内機２０に運転指令が入力されたとしても室内機２０が運転されることはない。この全停止の状態において、室外機制御装置１２に運転許可指令が入力されると、各室内機２０は運転可能な状態になるが、運転禁止指令が入力されたことにより運転していたか否かの情報はリセットされ、すべて停止の状態とされる。
しかし、このように必ず運転していたか否かの情報がリセットされるのは、管理者やユーザーのニーズを必ずしも満たしてはいない。例えば、室外機１０に運転許可指令が入力されると同時に決まった室内機２０は必ず運転を開始することで、管理者が各室内機２０に対し運転指令を入力してまわったり、ユーザーが都度運転指令を入力する必要が無くなる。
そこで本実施形態では、運転禁止指令が入力される直前の各室内機２０の状態を記憶し、運転許可指令が入力されると記憶された各室内機２０の状態にて運転を再開することとした。
【００３０】
図２には、本実施形態にかかる空調機の運転禁止指令が入力された場合の制御を示したフローチャートが示されている。
まず、空調機１が運転しているものとする。
運転している空調機１において、管理者による外部からの入力によって室外機制御装置１２に対し運転禁止指令が入力される（Ｓ２０１）。
運転禁止指令が入力されると、室外機制御装置１２が全ての室内機２０の運転停止情報を記憶するか、または、一部の室内機グループのみの運転停止情報を記憶するか、を判定する（Ｓ２０２）。ここで、運転停止情報とは、該当する室内機２０が運転または停止のいずれの状態であるかを示す情報である。また、管理者は、あらかじめ全ての室内機２０の運転停止情報を記憶するか、一部の室内機グループのみ記憶するかを室外機制御装置１２に設定しておく。
【００３１】
上記ステップＳ２０２において、室外機制御装置１２が全ての室内機２０の運転停止情報を記憶すると判定された場合は、全室内機２０の運転停止情報を室外機制御装置１２に記憶させる（Ｓ２０３）。また、上記ステップＳ２０２において、一部の室内機グループのみの運転停止情報を記憶すると判定された場合は、該当室内機グループ、本実施形態の場合は第一室内機グループ１００の室内機２０Ａ及び室内機２０Ｂの運転停止情報を室外機制御装置１２にて記憶し、第二室内機グループ２００の運転停止情報は記憶しない（Ｓ２０４）。
【００３２】
次に、各室内機２０の運転設定情報を各室内機制御装置２２に記憶させる（Ｓ２０５）。ここで、運転設定情報とは、該当する室内機２０に設定されている温度、風量、運転種別（冷房・暖房など）などを示す情報である。
以上のステップＳ２０２からステップＳ２０５の制御を行った後、運転禁止指令に基づき空調機１内の機器を全て停止させる（Ｓ２０６）。
【００３３】
管理者による外部からの入力によって室外機制御装置１２に対し運転許可指令が入力されたか否かの判定が行われ（Ｓ２０７）、運転許可指令が入力されていれば、ステップＳ２０３またはＳ２０４で記憶された各室内機２０の運転停止情報、及び、ステップＳ２０５または後述するＳ２１０で記憶された各室内機２０の運転設定情報に基づき、全室内機２０を運転再開させる（Ｓ２１１）。ここで、記憶されていた室内機２０の運転停止情報が停止であれば、該当する室内機２０は停止の状態であり、全ての室内機２０が停止の状態であれば、室外機１０も停止の状態である。
【００３４】
また、空調機１内の全ての機器の停止中に、ユーザーが室内機２０の運転設定情報を変更する場合がある。例えば、部屋の環境を事前に整えておくために、運転が停止した時よりも冷房の温度を下げ、風量を大きくする場合などである。これに対し、管理者はあらかじめ空調機１内の全ての機器の停止中の室内機２０の運転設定情報の変更を許可するか否かを各室内機制御装置２２に設定しておく。
【００３５】
空調機１内の機器がすべて停止すると（Ｓ２０６）、運転許可指令が入力されるまでの間（Ｓ２０７においてＮＯの場合）、室内機２０の運転設定情報を変更するか否かの判定が行われ（Ｓ２０８）、変更しないと判定された場合はステップＳ２０７へ戻る。ステップＳ２０８において変更すると判定された場合は、室内機２０の運転設定情報が変更されたか否かの判定が行われ（Ｓ２０９）、変更されていないと判定された場合はステップＳ２０７へ戻る。ステップＳ２０９において変更されていると判定された場合は、該当室内機２０の運転設定情報の記憶を変更、すなわち上書きを行う（Ｓ２１０）。これを運転許可指令が入力されるまで繰り返し、運転許可指令が入力されると（Ｓ２０７においてＹＥＳの場合）、運転再開に際し直前の運転設定情報が反映されることとなる。
このように、空調機１内の全ての機器が停止中において、運転設定情報の変更が複数回行われることもあり得ることから、停止中は常に運転設定情報の変更が行われたかどうかの監視を行うこととする。
【００３６】
以上、説明してきたように、本実施形態にかかる空調システム及び空調システムの制御方法によれば、室外機制御装置１２に対する運転許可指令又は運転禁止指令の入力によって全ての室内機２０の運転または停止を行い、記憶部が運転禁止指令が入力される直前の各室内機２０の運転停止情報を記憶し、運転許可指令が入力されると、室外機制御装置１２は記憶された運転停止情報にて全ての室内機２０の運転を再開させることとしたので、管理者の操作性が向上する。
また、室外機制御装置１２の制御にて全ての室内機２０の運転または停止を行えるため、室内機２０の運転および停止を一括管理することができ、室内機２０一台ごとに運転または停止の制御を行う必要がなくなる。ここで、室内機２０および室外機１０はともに常に電源が入った状態であるため管理が可能である。
また、運転禁止指令が入力される直前の室内機２０の運転停止情報を記憶部が記憶し、室外機制御装置１２は全ての室内機２０の運転再開時にこの運転停止情報にもとづき運転を再開することから、例えば停止前に運転中であった室内機２０は自動的に運転を再開するため、運転再開の度に室内機２０を起動させたい場合に該当する室内機２０を手動で起動させる必要が無く、管理者やユーザーの負担を減らすことができる。
【００３７】
また、記憶部が室外機制御装置１２に備えられることで、１の室外機制御装置１２の記憶部で室外機１０に接続する全ての室内機２０の運転停止情報を記憶することから、運転停止情報を一元管理可能である。また、バックアップの取得が簡便である。
【００３８】
また、室内機制御装置２２の記憶部が各室内機２０の設定温度や風量などの運転設定情報を記憶することから、室外機制御装置１２の記憶部の記憶容量の増加がなく、室外機１０に対し室内機２０の台数が増えても室外機制御装置１２の構成を変更する必要が無い。
また、運転設定情報を各室内機制御装置２２の各記憶部が記憶することから、運転設定情報を分散管理することができ、故障に対するリスクも分散できる。
【００３９】
また、記憶部は、室内機２０の停止中に運転設定情報を上書き可能とすることから、室内機２０が運転停止中であっても運転設定情報を変更することができる。そのため、停止中に運転設定情報を変更しておくことで、ユーザーが所望する温度や風量などで自動的に運転を再開させることができ、管理者やユーザーの操作自由度が向上する。
【００４０】
また、記憶部は、運転禁止指令が入力される直前の第一室内機グループ１００の各室内機２０の運転停止情報を記憶し、第二室内機グループ２００の各室内機２０の運転停止情報を記憶せず、運転許可指令が入力されると第一室内機グループ１００の運転停止情報に基づき運転再開させ、第二室内機グループ２００の各室内機２０は停止したままとすることから、運転停止情報の記憶を行うか否かをグループ毎に設定することができる。そのため、運転禁止指令入力直前の運転停止情報にかかわらず該当する室内機２０は運転再開時も停止させたままとすることができる。
例えば、会議室など室内機２０が停止の状態が多い場合において、運転禁止指令入力直前には運転していても、次に運転再開する場合は自動的に停止されたままの状態であることから、室内機２０の切り忘れを防止することができる。
【００４１】
〔第２実施形態〕
以下、本発明の第２実施形態について、図１及び図３を用いて説明する。
上記した第１実施形態では、運転停止情報を室外機制御装置にて記憶したが、本実施形態では、運転停止情報を各室内機制御装置にて記憶するものである。その他の点については第１実施形態と同様であるので、説明は省略する。
【００４２】
図１には、本実施形態にかかる空調システム及び空調システムの制御方法の概略構成が示されている。
また、図３には、本実施形態にかかる空調機の運転禁止指令が入力された場合の制御を示したフローチャートが示されている。
まず、空調機１が運転しているものとする。
運転している空調機１において、管理者による外部からの入力によって室外機制御装置１２に対し運転禁止指令が入力される（Ｓ３０１）。
運転禁止指令が入力されると、各室内機制御装置２２が全ての各室内機２０の運転停止情報を記憶するか、または、一部の室内機グループのみの運転停止情報を記憶するか、を判定する（Ｓ３０２）。管理者は、あらかじめ全ての各室内機２０の運転停止情報を記憶するか、一部の室内機グループのみ記憶するかを各室内機制御装置２２に設定しておく。
【００４３】
上記ステップＳ３０２において、室内機制御装置２２が全ての各室内機２０の運転停止情報を記憶すると判定された場合は、全ての各室内機２０の運転停止情報を各室内機制御装置２２に記憶させる（Ｓ３０３）。また、上記ステップＳ３０２において、一部の室内機グループのみの運転停止情報を記憶すると判定された場合は、該当室内機グループ、本実施形態の場合は第一室内機グループ１００の室内機２０Ａ及び室内機２０Ｂの運転停止情報をそれぞれ室内機制御装置２２Ａ及び室内機制御装置２２Ｂにて記憶し、第二室内機グループ２００の運転停止情報は記憶しない（Ｓ３０４）。
【００４４】
次に、各室内機２０の運転設定情報を各室内機制御装置２２に記憶させる（Ｓ３０５）。
以上のステップＳ３０２からステップＳ３０５の制御を行った後、運転禁止指令に基づき空調機１内の機器を全て停止させる（Ｓ３０６）。
【００４５】
管理者による外部からの入力によって室外機制御装置１２に対し運転許可指令が入力されたか否かの判定が行われ（Ｓ３０７）、運転許可指令が入力されていれば、ステップＳ３０３またはＳ３０４で記憶された各室内機２０の運転停止情報、及び、ステップＳ３０５または後述するＳ３１０で記憶された各室内機２０の運転設定情報に基づき、全室内機２０を運転再開させる（Ｓ３１１）。
【００４６】
また、空調機１内の全ての機器の停止中に、ユーザーが室内機２０の運転設定情報を変更する場合がある。例えば、部屋の環境を事前に整えておくために、運転が停止した時よりも冷房の温度を下げ、風量を大きくする場合などである。これに対し、管理者はあらかじめ空調機１内の全ての機器の停止中の室内機２０の運転設定情報の変更を許可するか否かを各室内機制御装置２２に設定しておく。
【００４７】
空調機１内の機器がすべて停止すると（Ｓ３０６）、運転許可指令が入力されるまでの間（Ｓ３０７においてＮＯの場合）、室内機２０の運転設定情報を変更するか否かの判定が行われ（Ｓ３０８）、変更しないと判定された場合はステップＳ３０７へ戻る。ステップＳ３０８において変更すると判定された場合は、室内機２０の運転設定情報が変更されたか否かの判定が行われ（Ｓ３０９）、変更されていないと判定された場合はステップＳ３０７へ戻る。ステップＳ３０９において変更されていると判定された場合は、該当室内機２０の運転設定情報の記憶を変更、すなわち上書きを行う（Ｓ３１０）。これを運転許可指令が入力されるまで繰り返し、運転許可指令が入力されると（Ｓ３０７においてＹＥＳの場合）、運転再開に際し直前の運転設定情報が反映されることとなる。
このように、空調機１内の全ての機器が停止中において、運転設定情報の変更が複数回行われることもあり得ることから、停止中は常に運転設定情報の変更が行われたかどうかの監視を行うこととする。
【００４８】
以上、説明してきたように、本実施形態にかかる空調システム及び空調システムの制御方法によれば、室外機制御装置１２に対する運転許可指令又は運転禁止指令の入力によって全ての室内機２０の運転または停止を行い、記憶部が運転禁止指令が入力される直前の各室内機２０の運転停止情報を記憶し、運転許可指令が入力されると、室外機制御装置１２は記憶された運転停止情報にて全ての室内機２０の運転を再開させることとしたので、管理者の操作性が向上する。
また、室外機制御装置１２の制御にて全ての室内機２０の運転または停止を行えるため、室内機２０の運転および停止を一括管理することができ、室内機２０一台ごとに運転または停止の制御を行う必要がなくなる。ここで、室内機２０および室外機１０はともに常に電源が入った状態であるため管理が可能である。
また、運転禁止指令が入力される直前の室内機２０の運転停止情報を記憶部が記憶し、室外機制御装置１２は全ての室内機２０の運転再開時にこの運転停止情報にもとづき運転を再開することから、例えば停止前に運転中であった室内機２０は自動的に運転を再開するため、運転再開の度に室内機２０を起動させたい場合に該当する室内機２０を手動で起動させる必要が無く、管理者やユーザーの負担を減らすことができる。
【００４９】
また、記憶部が室内機制御装置２２に備えられることで、運転停止情報を各室内機制御装置２２の各記憶部が記憶することから、運転停止情報を分散管理することができ、故障に対するリスクも分散できる。
【００５０】
また、各室内機制御装置２２の記憶部は、各室内機２０の運転停止情報および運転設定情報を記憶することから、１の記憶部にて室内機２０毎の運転停止情報と運転設定情報との記憶が可能である。
【００５１】
〔第２実施形態の変形例〕
以下、本発明の第２実施形態の変形例について、図４及び図５を用いて説明する。
上記した第２実施形態では、運転停止情報および運転設定情報を各室内機制御装置に記憶したが、本変形例では、運転停止情報および運転設定情報を各リモコン制御装置に記憶するものである。その他の点については第２実施形態と同様であるので、説明は省略する。
【００５２】
図４には、本変形例にかかる空調システム及び空調システムの制御方法の概略構成が示されている。
リモコン３０の内部には、リモコン制御装置３２が備えられており、室内機２０の室内機制御装置２２とリモコン制御装置３２とは、通信線を通じて接続されている。また、リモコン制御装置３２は、内部に種々の情報の記憶を行う記憶部（図示せず）を備えるものとする。
リモコン３０は、室内機２０へユーザーによる運転指令を伝達する手段であり、運転指令がリモコン制御装置３２に入力されると室内機制御装置２２に伝達される。ユーザーによる運転指令には、例えば室内機２０の運転および停止、温度、風量、運転種別（冷房、暖房など）などが挙げられる。
以下の説明において、各リモコン３０及び各リモコン制御装置３２を区別する場合は、末尾にＡ〜Ｄのいずれかを付し、各リモコン３０及び各リモコン制御装置３２を区別しない場合は、Ａ〜Ｄを省略する。
【００５３】
図５には、本変形例にかかる空調機の運転禁止指令が入力された場合の制御を示したフローチャートが示されている。
まず、空調機１が運転しているものとする。
運転している空調機１において、管理者による外部からの入力によって室外機制御装置１２に対し運転禁止指令が入力される（Ｓ５０１）。
運転禁止指令が入力されると、各リモコン制御装置３２が全ての各室内機２０の運転停止情報を記憶するか、または、一部の室内機グループのみの運転停止情報を記憶するか、を判定する（Ｓ５０２）。管理者は、あらかじめ全ての各室内機２０の運転停止情報を記憶するか、一部の室内機グループのみ記憶するかを各リモコン制御装置３２に設定しておく。
【００５４】
上記ステップＳ５０２において、リモコン制御装置３２が全ての各室内機２０の運転停止情報を記憶すると判定された場合は、全ての各室内機２０の運転停止情報を各リモコン制御装置３２に記憶させる（Ｓ５０３）。また、上記ステップＳ５０２において、一部の室内機グループのみの運転停止情報を記憶すると判定された場合は、該当室内機グループ、本実施形態の場合は第一室内機グループ１００の室内機２０Ａ及び室内機２０Ｂの運転停止情報をそれぞれリモコン制御装置３２Ａ及びリモコン制御装置３２Ｂにて記憶し、第二室内機グループ２００の運転停止情報は記憶しない（Ｓ５０４）。
【００５５】
次に、各室内機２０の運転設定情報を各リモコン制御装置３２に記憶させる（Ｓ５０５）。
以上のステップＳ５０２からステップＳ５０５の制御を行った後、運転禁止指令に基づき空調機１内の機器を全て停止させる（Ｓ５０６）。
【００５６】
管理者による外部からの入力によって室外機制御装置１２に対し運転許可指令が入力されたか否かの判定が行われ（Ｓ５０７）、運転許可指令が入力されていれば、ステップＳ５０３またはＳ５０４で記憶された各室内機２０の運転停止情報、及び、ステップＳ５０５または後述するＳ５１０で記憶された各室内機２０の運転設定情報に基づき、全室内機２０を運転再開させる（Ｓ５１１）。
【００５７】
また、空調機１内の全ての機器の停止中に、ユーザーが室内機２０の運転設定情報を変更する場合がある。例えば、部屋の環境を事前に整えておくために、運転が停止した時よりも冷房の温度を下げ、風量を大きくする場合などである。これに対し、管理者はあらかじめ空調機１内の全ての機器の停止中の室内機２０の運転設定情報の変更を許可するか否かを各リモコン制御装置３２に設定しておく。
【００５８】
空調機１内の機器がすべて停止すると（Ｓ５０６）、運転許可指令が入力されるまでの間（Ｓ５０７においてＮＯの場合）、室内機２０の運転設定情報を変更するか否かの判定が行われ（Ｓ５０８）、変更しないと判定された場合はステップＳ５０７へ戻る。ステップＳ５０８において変更すると判定された場合は、室内機２０の運転設定情報が変更されたか否かの判定が行われ（Ｓ５０９）、変更されていないと判定された場合はステップＳ５０７へ戻る。ステップＳ５０９において変更されていると判定された場合は、該当室内機２０の運転設定情報の記憶を変更、すなわち上書きを行う（Ｓ５１０）。これを運転許可指令が入力されるまで繰り返し、運転許可指令が入力されると（Ｓ５０７においてＹＥＳの場合）、運転再開に際し直前の運転設定情報が反映されることとなる。
このように、空調機１内の全ての機器が停止中において、運転設定情報の変更が複数回行われることもあり得ることから、停止中は常に運転設定情報の変更が行われたかどうかの監視を行うこととする。
【００５９】
以上、説明してきたように、本実施形態にかかる空調システム及び空調システムの制御方法によれば、室外機制御装置１２に対する運転許可指令又は運転禁止指令の入力によって全ての室内機２０の運転または停止を行い、記憶部が運転禁止指令が入力される直前の各室内機２０の運転停止情報を記憶し、運転許可指令が入力されると、室外機制御装置１２は記憶された運転停止情報にて全ての室内機２０の運転を再開させることとしたので、管理者の操作性が向上する。
また、室外機制御装置１２の制御にて全ての室内機２０の運転または停止を行えるため、室内機２０の運転および停止を一括管理することができ、室内機２０一台ごとに運転または停止の制御を行う必要がなくなる。ここで、室内機２０および室外機１０はともに常に電源が入った状態であるため管理が可能である。
また、運転禁止指令が入力される直前の室内機２０の運転停止情報を記憶部が記憶し、室外機制御装置１２は全ての室内機２０の運転再開時にこの運転停止情報にもとづき運転を再開することから、例えば停止前に運転中であった室内機２０は自動的に運転を再開するため、運転再開の度に室内機２０を起動させたい場合に該当する室内機２０を手動で起動させる必要が無く、管理者やユーザーの負担を減らすことができる。
【００６０】
また、リモコン制御装置３２の記憶部が、運転禁止指令が入力される直前の各室内機２０の運転停止情報を記憶し、運転許可指令が入力されると、室外機制御装置１２は記憶された運転停止情報に基づいて各室内機２０の運転を再開させることとしたため、室外機制御装置１２および室内機制御装置２２の記憶部の記憶容量の増加が無く、室外機１０に対し室内機２０の台数が増えても室外機制御装置１２の構成を変更する必要が無い。また、リモコン制御装置３２に運転停止情報および運転設定情報が記憶されることから、室外機制御装置１２の記憶部との運転設定情報のやりとりを行う必要が無く、ユーザーは運転停止情報および運転設定情報を即時に手元のリモコン３０にて確認することができる。
【００６１】
また、各リモコン制御装置３２の記憶部は、各室内機２０の運転停止情報および運転設定情報を記憶することから、１の記憶部にて室内機２０毎の運転停止情報と運転設定情報との記憶が可能である。
【００６２】
〔第３実施形態〕
以下、本発明の第３実施形態について、図４及び図６を用いて説明する。
図４には、本実施形態にかかる空調システム及び空調システムの制御方法の概略構成が示されている。
上記した第２実施形態では、運転設定情報を各室内機制御装置にて記憶したが、本実施形態では、運転設定情報を各リモコン制御装置にて記憶するものである。その他の点については第２実施形態と同様であるので、説明は省略する。
【００６３】
図６には、本実施形態にかかる空調機の運転禁止指令が入力された場合の制御を示したフローチャートが示されている。
まず、空調機１が運転しているものとする。
運転している空調機１において、管理者による外部からの入力によって室外機制御装置１２に対し運転禁止指令が入力される（Ｓ６０１）。
運転禁止指令が入力されると、各室内機制御装置２２が全ての各室内機２０の運転停止情報を記憶するか、または、一部の室内機グループのみの運転停止情報を記憶するか、を判定する（Ｓ６０２）。管理者は、あらかじめ全ての各室内機２０の運転停止情報を記憶するか、一部の室内機グループのみ記憶するかを各室内機制御装置２２に設定しておく。
【００６４】
上記ステップＳ６０２において、各室内機制御装置２２が全ての各室内機２０の運転停止情報を記憶すると判定された場合は、全ての各室内機２０の運転停止情報を各室内機制御装置２２に記憶させる（Ｓ６０３）。また、上記ステップＳ６０２において、一部の室内機グループのみの運転停止情報を記憶すると判定された場合は、該当室内機グループ、本実施形態の場合は第一室内機グループ１００の室内機２０Ａ及び室内機２０Ｂの運転停止情報をそれぞれ室内機制御装置２２Ａ及び室内機制御装置２２Ｂにて記憶し、第二室内機グループ２００の運転停止情報は記憶しない（Ｓ６０４）。
【００６５】
次に、各室内機２０の運転設定情報を各リモコン制御装置３２（図４参照）に記憶させる（Ｓ６０５）。
以上のステップＳ６０２からステップＳ６０５の制御を行った後、運転禁止指令に基づき空調機１内の機器を全て停止させる（Ｓ６０６）。
【００６６】
管理者による外部からの入力によって室外機制御装置１２に対し運転許可指令が入力されたか否かの判定が行われ（Ｓ６０７）、運転許可指令が入力されていれば、ステップＳ６０３またはＳ６０４で記憶された各室内機２０の運転停止情報、及び、ステップＳ６０５または後述するＳ６１０で記憶された各室内機２０の運転設定情報に基づき、全室内機２０を運転再開させる（Ｓ６１１）。
【００６７】
また、空調機１内の全ての機器の停止中に、ユーザーが室内機２０の運転設定情報を変更する場合がある。例えば、部屋の環境を事前に整えておくために、運転が停止した時よりも冷房の温度を下げ、風量を大きくする場合などである。これに対し、管理者はあらかじめ空調機１内の全ての機器の停止中の室内機２０の運転設定情報の変更を許可するか否かを各リモコン制御装置３２（図４参照）に設定しておく。
【００６８】
空調機１内の機器がすべて停止すると（Ｓ６０６）、運転許可指令が入力されるまでの間（Ｓ６０７においてＮＯの場合）、室内機２０の運転設定情報を変更するか否かの判定が行われ（Ｓ６０８）、変更しないと判定された場合はステップＳ６０７へ戻る。ステップＳ６０８において変更すると判定された場合は、室内機２０の運転設定情報が変更されたか否かの判定が行われ（Ｓ６０９）、変更されていないと判定された場合はステップＳ６０７へ戻る。ステップＳ６０９において変更されていると判定された場合は、該当室内機２０の運転設定情報の記憶を変更、すなわち上書きを行う（Ｓ６１０）。これを運転許可指令が入力されるまで繰り返し、運転許可指令が入力されると（Ｓ６０７においてＹＥＳの場合）、運転再開に際し直前の運転設定情報が反映されることとなる。
このように、空調機１内の全ての機器が停止中において、運転設定情報の変更が複数回行われることもあり得ることから、停止中は常に運転設定情報の変更が行われたかどうかの監視を行うこととする。
【００６９】
以上、説明してきたように、本実施形態にかかる空調システム及び空調システムの制御方法によれば、室外機制御装置１２に対する運転許可指令又は運転禁止指令の入力によって全ての室内機２０の運転または停止を行い、記憶部が運転禁止指令が入力される直前の各室内機２０の運転停止情報を記憶し、運転許可指令が入力されると、室外機制御装置１２は記憶された運転停止情報にて全ての室内機２０の運転を再開させることとしたので、管理者の操作性が向上する。
また、室外機制御装置１２の制御にて全ての室内機２０の運転または停止を行えるため、室内機２０の運転および停止を一括管理することができ、室内機２０一台ごとに運転または停止の制御を行う必要がなくなる。ここで、室内機２０および室外機１０はともに常に電源が入った状態であるため管理が可能である。
また、運転禁止指令が入力される直前の室内機２０の運転停止情報を記憶部が記憶し、室外機制御装置１２は全ての室内機２０の運転再開時にこの運転停止情報にもとづき運転を再開することから、例えば停止前に運転中であった室内機２０は自動的に運転を再開するため、運転再開の度に室内機２０を起動させたい場合に該当する室内機２０を手動で起動させる必要が無く、管理者やユーザーの負担を減らすことができる。
【００７０】
また、記憶部が室内機制御装置２２に備えられることで、運転停止情報を各室内機制御装置２２の各記憶部が記憶することから、運転停止情報を分散管理することができ、故障に対するリスクも分散できる。
【００７１】
また、各リモコン制御装置３２の記憶部が各室内機２０の運転設定情報を記憶することから、室外機制御装置１２または室内機制御装置２２の記憶部の記憶容量の増加が無い。
また、各リモコン制御装置３２の記憶部に運転設定情報が記憶されることから、室外機制御装置１２の記憶部との運転設定情報のやりとりを行う必要が無く、ユーザーは運転設定情報を即時に手元のリモコン３０にて確認することができる。
【００７２】
〔第４実施形態〕
以下、本発明の第４実施形態について、図１及び図７を用いて説明する。
上記した第１実施形態では、運転設定情報を室内機制御装置にて記憶したが、本実施形態では、運転設定情報を室外機制御装置にて記憶するものである。その他の点については第１実施形態と同様であるので、説明は省略する。
【００７３】
図１には、本実施形態にかかる空調システム及び空調システムの制御方法の概略構成が示されている。
また、図７には、本実施形態にかかる空調機の運転禁止指令が入力された場合の制御を示したフローチャートが示されている。
まず、空調機１が運転しているものとする。
運転している空調機１において、管理者による外部からの入力によって室外機制御装置１２に対し運転禁止指令が入力される（Ｓ７０１）。
運転禁止指令が入力されると、室外機制御装置１２が全ての室内機２０の運転停止情報を記憶するか、または、一部の室内機グループのみの運転停止情報を記憶するか、を判定する（Ｓ７０２）。管理者は、あらかじめ全ての室内機２０の運転停止情報を記憶するか、一部の室内機グループのみ記憶するかを室外機制御装置１２に設定しておく。
【００７４】
上記ステップＳ７０２において、室外機制御装置１２が全ての室内機２０の運転停止情報を記憶すると判定された場合は、全ての室内機２０の運転停止情報を室外機制御装置１２に記憶させる（Ｓ７０３）。また、上記ステップＳ７０２において、一部の室内機グループのみの運転停止情報を記憶すると判定された場合は、該当室内機グループ、本実施形態の場合は第一室内機グループ１００の室内機２０Ａ及び室内機２０Ｂの運転停止情報を室外機制御装置１２にて記憶し、第二室内機グループ２００の運転停止情報は記憶しない（Ｓ７０４）。
【００７５】
次に、各室内機２０の運転設定情報を室外機制御装置１２に記憶させる（Ｓ７０５）。
以上のステップＳ７０２からステップＳ７０５の制御を行った後、運転禁止指令に基づき空調機１内の機器を全て停止させる（Ｓ７０６）。
【００７６】
管理者による外部からの入力によって室外機制御装置１２に対し運転許可指令が入力されたか否かの判定が行われ（Ｓ７０７）、運転許可指令が入力されていれば、ステップＳ７０３またはＳ７０４で記憶された各室内機２０の運転停止情報、及び、ステップＳ７０５または後述するＳ７１０で記憶された各室内機２０の運転設定情報に基づき、全室内機２０を運転再開させる（Ｓ７１１）。
【００７７】
また、空調機１内の全ての機器の停止中に、ユーザーが室内機２０の運転設定情報を変更する場合がある。例えば、部屋の環境を事前に整えておくために、運転が停止した時よりも冷房の温度を下げ、風量を大きくする場合などである。これに対し、管理者はあらかじめ空調機１内の全ての機器の停止中の室内機２０の運転設定情報の変更を許可するか否かを室外機制御装置１２に設定しておく。
【００７８】
空調機１内の機器がすべて停止すると（Ｓ７０６）、運転許可指令が入力されるまでの間（Ｓ７０７においてＮＯの場合）、室内機２０の運転設定情報を変更するか否かの判定が行われ（Ｓ７０８）、変更しないと判定された場合はステップＳ７０７へ戻る。ステップＳ７０８において変更すると判定された場合は、室内機２０の運転設定情報が変更されたか否かの判定が行われ（Ｓ７０９）、変更されていないと判定された場合はステップＳ７０７へ戻る。ステップＳ７０９において変更されていると判定された場合は、該当室内機２０の運転設定情報の記憶を変更、すなわち上書きを行う（Ｓ７１０）。これを運転許可指令が入力されるまで繰り返し、運転許可指令が入力されると（Ｓ７０７においてＹＥＳの場合）、運転再開に際し直前の運転設定情報が反映されることとなる。
このように、空調機１内の全ての機器が停止中において、運転設定情報の変更が複数回行われることもあり得ることから、停止中は常に運転設定情報の変更が行われたかどうかの監視を行うこととする。
【００７９】
以上、説明してきたように、本実施形態にかかる空調システム及び空調システムの制御方法によれば、室外機制御装置１２に対する運転許可指令又は運転禁止指令の入力によって全ての室内機２０の運転または停止を行い、記憶部が運転禁止指令が入力される直前の各室内機２０の運転停止情報を記憶し、運転許可指令が入力されると、室外機制御装置１２は記憶された運転停止情報にて全ての室内機２０の運転を再開させることとしたので、管理者の操作性が向上する。
また、室外機制御装置１２の制御にて全ての室内機２０の運転または停止を行えるため、室内機２０の運転および停止を一括管理することができ、室内機２０一台ごとに運転または停止の制御を行う必要がなくなる。ここで、室内機２０および室外機１０はともに常に電源が入った状態であるため管理が可能である。
また、運転禁止指令が入力される直前の室内機２０の運転停止情報を記憶部が記憶し、室外機制御装置１２は全ての室内機２０の運転再開時にこの運転停止情報にもとづき運転を再開することから、例えば停止前に運転中であった室内機２０は自動的に運転を再開するため、運転再開の度に室内機２０を起動させたい場合に該当する室内機２０を手動で起動させる必要が無く、管理者やユーザーの負担を減らすことができる。
【００８０】
また、記憶部が室外機制御装置１２に備えられることで、１の室外機制御装置１２の記憶部で室外機１０に接続する全ての室内機２０の運転停止情報を記憶することから、運転停止情報を一元管理可能である。また、バックアップの取得が簡便である。
【００８１】
また、室外機制御装置１２の記憶部は、各室内機２０の運転停止情報および運転設定情報を記憶することから、１の記憶部にて室内機２０毎の運転停止情報と運転設定情報との記憶が可能である。
また、室内機制御装置２２およびリモコン制御装置３２の記憶部の記憶容量の増加が無い。さらに、全ての情報を室外機制御装置１２の記憶部にて一括管理するため、記憶した情報に基づき制御を行う場合に、室外機１０と室内機２０の間で情報のやり取りをする必要が無く、情報のやり取りにおけるエラーを考慮する必要も無い。
【符号の説明】
【００８２】
１  空調機（空調システム）
１０  室外機
１２  室外機制御装置
２０  室内機
２２  室内機制御装置
【図１】
2015114021.tif 000003
【図２】
2015114021.tif 000004
【図３】
2015114021.tif 000005
【図４】
2015114021.tif 000006
【図５】
2015114021.tif 000007
【図６】
2015114021.tif 000008
【図７】
2015114021.tif 000009